(57)【要約】【課題】信頼性や耐久性を向上させることができるとともに、簡易かつ安価な構造で洗濯液を循環して衣類を洗浄することができる洗濯機を提供する。【解決手段】洗濯液供給手段４５を、洗濯兼脱水槽底部３４ａと、洗濯兼脱水槽底部３４ａが収納される外槽下部３３ｂとで形成される洗濯液室４２と、洗濯液室４２に設けた入口４３ａと、入口４３ａと外槽上部の開口部３３ａに設けられた出口４３ｃとを連結する循環路４３ｂで形成される循環経路４３で構成し、洗濯兼脱水槽３４の回転により洗濯液室４２内の洗濯液が循環経路４３を流れるようにしたものであり、洗濯兼脱水槽３４を回転させることで洗濯液を外槽３３の底から上に循環することができ、ポンプを使用しないので信頼性や耐久性を向上させることができる。【選択図】図１
2005110753.tif 000002
【特許請求の範囲】
【請求項１】
外槽内に回転可能に設けられた洗濯兼脱水槽と、前記洗濯兼脱水槽の内部に設けられた撹拌翼と、前記洗濯兼脱水槽と前記撹拌翼を回転させる駆動手段と、前記洗濯兼脱水槽内の衣類に洗濯液を供給する洗濯液供給手段とを備え、前記洗濯液供給手段は、洗濯兼脱水槽底部と前記洗濯兼脱水槽底部が収納される外槽下部とで形成される洗濯液室と、前記洗濯液室に設けた入口と、前記入口と外槽上部の開口部に設けられた出口とを連結する循環路で形成される循環経路を有し、前記洗濯兼脱水槽の回転により前記洗濯液室内の洗濯液が前記循環経路を流れるようにした洗濯機。
【請求項２】
循環路は外槽の外周に沿って緩やかに傾斜した傾斜部を有し、上方へ流れ方向が変わるように構成した請求項１記載の洗濯機。
【請求項３】
循環経路に流量検出手段を設け、制御手段は、前記流量検出手段からの信号により前記洗濯兼脱水槽の回転を制御するようにした請求項１または２記載の洗濯機。
【請求項４】
外槽内壁に水流を止める抵抗板を設け、前記抵抗板を洗濯兼脱水槽底部より上方に設けた請求項１〜３のいずれか１項に記載の洗濯機。
【請求項５】
抵抗板の端部に下方へ伸びる返し部を設けた請求項４記載の洗濯機。
【請求項６】
洗濯兼脱水槽底部に放射状に羽根を設けた請求項１〜５のいずれか１項に記載の洗濯機。
【請求項７】
外槽内壁に洗濯液を上方へ押し上げる傾斜流路を設けて循環路の少なくとも一部を形成し、前記傾斜流路の開始位置を外槽下部に配置して入口となすとともに、前記傾斜流路の上端開口部を出口に接続した請求項１〜６のいずれか１項に記載の洗濯機。
【請求項８】
循環経路の一部にフィルタを設けた請求項１〜７のいずれか１項に記載の洗濯機。
【請求項９】
脱水時は洗濯時と反対方向に洗濯兼脱水槽を回転させるようにした請求項１〜８のいずれか１項に記載の洗濯機。
【発明の詳細な説明】
【技術分野】
【０００１】
本発明は、洗濯兼脱水槽を回転させながら洗濯液を衣類に散水して汚れを除去する洗濯機に関するものである。
【背景技術】
【０００２】
従来、この種の洗濯機は撹伴による布の傷みを軽減するために、攪拌する替わりに洗濯兼脱水槽を回転しながら洗濯液を供給し、遠心力で洗濯液を衣類の中を通過させることによって、汚れを除去していた（例えば、特許文献１参照）。
【０００３】
図１７は、従来の洗濯機の全体構成を示すもので、脚１を複数有する台板２と、これに載置結合した外箱３、及びこの外箱３に被装結合したトップカバー４とで、外殻５を構成している。トップカバー４は、洗濯物出入口（図示せず）を有しており、かつ、それを開閉する例えば２つ折りの蓋６を有している。
【０００４】
外殻５の内部には、水槽７を複数組（１組のみ図示）の弾性支持機構８により支持して配設している。水槽７の内部には回転槽１０を回転可能に配設している。水槽７の外下部にはモー夕１６を配設している。水槽７の排水口９には、接続パイプ１７を介して排水弁１８の入口部を接続しており、この排水弁１８の出口部には排水ホース１９の基端部を接続し、この排水ホース１９の先端部を機外に導出させている。
【０００５】
また、上記接続パイプ１７には、ポンプ用ホース２０の一端部を分岐接続しており、これの他端部を外殻５の内上部の後部に配設したポンプ２１の入口部に接続している。そして、ポンプ２１の出口部には、ノズル用ホース２２の一端部を接続し、これの他端部を噴水器としてのノズル２３の基端部に接続している。これにより、ポンプ２１が駆動されれば、ポンプ２１は水槽７内の洗濯水Ｗを排水口９からポンプ用ホース２０を通じて吸引し、それを加圧してノズル用ホース２２を通じてノズル２３から噴射させるようになっている。
【特許文献１】特開２００１−１３７５８７号公報
【発明の開示】
【発明が解決しようとする課題】
【０００６】
しかしながら、前記従来の構成では、洗濯液の循環供給手段にポンプを使用しているため、洗濯液中の汚れや糸屑等の影響でポンプの信頼性や耐久性が低下するという課題を有していた。また、コストアップの要因にもなっていた。
【０００７】
本発明は、前記従来の課題を解決するもので、信頼性と耐久性を向上させるとともに、安価に洗濯液を循環して衣類を洗浄することができる洗濯機を提供することを目的とする。
【課題を解決するための手段】
【０００８】
前記従来の課題を解決するために、本発明の洗濯機は、洗濯液供給手段を、洗濯兼脱水槽底部と洗濯兼脱水槽底部が収納される外槽下部とで形成される洗濯液室と、洗濯液室に設けた入口と、入口と外槽上部の開口部に設けられた出口とを連結する循環路で形成される循環経路で構成し、洗濯兼脱水槽の回転により洗濯液室内の洗濯液が循環経路を流れるようにしたものである。
【０００９】
これによって、洗濯兼脱水槽を回転させることで洗濯液を外槽の底から上に循環することができ、ポンプを使用しないので信頼性や耐久性を向上させることができるとともに、簡易かつ安価な構成で洗濯液を循環して衣類を洗浄することができる。
【発明の効果】
【００１０】
本発明の洗濯機は、信頼性と耐久性を向上させるとともに、安価に洗濯液を循環させて衣類の洗浄が可能な洗濯機を実現することができる。
【発明を実施するための最良の形態】
【００１１】
第１の発明は、外槽内に回転可能に設けられた洗濯兼脱水槽と、前記洗濯兼脱水槽の内部に設けられた撹拌翼と、前記洗濯兼脱水槽と前記撹拌翼を回転させる駆動手段と、前記洗濯兼脱水槽内の衣類に洗濯液を供給する洗濯液供給手段とを備え、前記洗濯液供給手段は、洗濯兼脱水槽底部と前記洗濯兼脱水槽底部が収納される外槽下部とで形成される洗濯液室と、前記洗濯液室に設けた入口と、前記入口と外槽上部の開口部に設けられた出口とを連結する循環路で形成される循環経路を有し、前記洗濯兼脱水槽の回転により前記洗濯液室内の洗濯液が前記循環経路を流れるようにしたことにより、洗濯兼脱水槽を回転させることで洗濯液を外槽の底から上に循環することができ、ポンプを使用しないので信頼性や耐久性を向上させることができるとともに、簡易かつ安価な構成で洗濯液を循環して衣類を洗浄することができる。
【００１２】
第２の発明は、特に、第１の発明の循環路は、外槽の外周に沿って緩やかに傾斜した傾斜部を有し、上方へ流れ方向が変わるように構成したことにより、循環路の管路抵抗が軽減されることになり、効率よく洗濯液を循環することができる。
【００１３】
第３の発明は、特に、第１または第２の発明の循環経路に流量検出手段を設け、制御手段は、前記流量検出手段からの信号により前記洗濯兼脱水槽の回転を制御するようにしたことにより、洗濯液の循環流量が最大になる洗濯兼脱水槽の回転条件で運転されることになり、効率よく洗濯液を循環することができる。
【００１４】
第４の発明は、特に、第１〜第３の発明の外槽内壁に水流を止める抵抗板を設け、前記抵抗板を洗濯兼脱水槽底部より上方に設けたことにより、洗濯兼脱水槽の回転で生じた洗濯液の回転水流が遠心力の影響で、外槽内壁を上昇し、洗濯液室から流出するのを低減することになり、効率よく洗濯液を循環することができる。
【００１５】
第５の発明は、特に、第４の発明の抵抗板の端部に下方へ伸びる返し部を設けたことにより、洗濯液室から流出する洗濯液を更に低減することになり、効率よく洗濯液を循環することができる。
【００１６】
第６の発明は、特に、第１〜第５の発明の洗濯兼脱水槽底部に放射状に羽根を設けたことにより、洗濯兼脱水槽は、効率よく回転水流を発生させることになり、洗濯液の循環量を増加することができる。
【００１７】
第７の発明は、特に、第１〜第６の発明の外槽内壁に洗濯液を上方へ押し上げる傾斜流路を設けて循環路の少なくとも一部を形成し、前記傾斜流路の開始位置を外槽下部に配置して入口となすとともに、前記傾斜流路の上端開口部を出口に接続したことにより、洗濯兼脱水槽の回転で発生した回転水流は、傾斜流路を上昇し出口から洗濯兼脱水槽内に流出することになり、循環路をなくすことができ、更に安価に洗濯液を循環することができる。
【００１８】
第８の発明は、特に、第１〜第７の発明の循環経路の一部にフィルタを設けたことにより、洗濯液中のゴミや糸屑が回収されることになり、循環の妨げが無くなると共に衣類の再汚染を低減することができる。
【００１９】
第９の発明は、特に、第１〜第８の発明の洗濯兼脱水槽を脱水時は洗濯時と反対方向に回転させるようにしたことにより、衣類から分離した洗濯液が再び循環経路を流れ、洗濯兼脱水槽内に流入することが無くなり、脱水性能が低下するのを防止することができる。
【００２０】
以下、本発明の実施の形態について、図面を参照しながら説明する。なお、この実施の形態によって本発明が限定されるものではない。
【００２１】
（実施の形態１）
図１は本発明の実施の形態１における洗濯機の断面図、図２は同洗濯機の平面図、図３は同洗濯機のブロック図である。図１〜図３において、洗濯機外枠３１は４本の吊り棒３２により外槽３３を吊り下げている。洗濯兼脱水槽（以下、洗濯槽という）３４は、外槽３３内に回転自在に配設し、洗濯槽３４の底部に撹枠翼３５を回転自在に配設している。駆動手段３６はブラシレス直流モータから成っており、インバータ制御され、回転速度が自在に変化されるようになっている。そして減速機構３８を介して撹洋翼３５および洗濯槽３４を駆動する。
【００２２】
給水手段３９は洗濯槽３４内に給水するもので、水位検知手段４０は外糟３３内の洗濯水位を検知する。排水手段４１は、外槽３３内の洗濯水を排水するものである。
【００２３】
洗濯液室４２は、外槽下部３３ｂと洗濯兼脱水槽底部（以下、洗濯槽底部という）３４ａで形成されており、外槽下部３３ｂの内周に、洗濯液が循環経路４３に入る入口４３ａが設けられている。入口４３ａの一端は、図２に示すように、外槽下部３３ｂの内周の接線方向に開口されており、他端は洗濯槽３４が洗濯時に回転する方向に延出されて、循環路４３ｂの下端と接続されている。
【００２４】
循環路４３ｂは外槽３３の外周に沿って緩やかに上方へ傾斜して設けられ、最終的に垂直に方向転換されている。出口４３ｃは外槽３３の上部の開口部３３ａを覆う外槽カバー４４の一部に設けられており、一端は循環路４３ｂに接続され、もう一端は洗濯槽３４に臨んでいる。入口４３ａ、循環路４３ｂ、出口４３ｃで循環経路４３を形成している。外槽下部３３ｂと洗濯槽底部３４ａと洗濯液室４２と循環経路４３で洗濯液供給手段４５を構成している。
【００２５】
制御装置４６は洗濯機外枠３１の背面に設けている。この制御装置４６は図３に示すように構成しており、制御手段４７は、洗濯機外枠３１の上面に設けられた操作表示手段４８により入力された設定内容に基づいて、洗い、すすぎ、脱水の各行程を逐次制御するもので、パワースイッチング手段４９を介して駆動手段３６、給水手段３９、排水手段４１などを逐次制御する。
【００２６】
記憶手段５０は制御手段４７による逐次制御に必要なデータを記憶している。布量検知手段５１は洗濯槽３４内の洗濯物（衣類）の量を検知するもので、その出力を制御手段４７に入力している。制御手段４７は、駆動手段３６によって洗濯槽３４を回転させながら、洗濯液供給手段４５により洗濯槽３４内の衣類に洗濯液を供給するようにしている。なお電源スイッチ５２、商用電源５３が図３に示すように接続されている。
【００２７】
以上のように構成された洗濯機について、以下その動作、作用を説明する。まず、洗濯槽３４内に衣類と洗剤を投入後、操作表示手段４８を操作して運転を開始する。これによって、給水手段３９が動作し、洗濯槽３４内に洗濯水が供給されるとともに洗濯槽３４が回転を開始する。規定量の洗濯水が供給されると給水手段３９は停止する。洗濯槽３４の回転によって、洗剤は洗濯水に溶かされ、洗濯液となって洗濯液室４２に溜まる。
【００２８】
洗濯液室４２内の洗濯液は、洗濯槽底部３４ａの回転運動で旋回流となって外槽下部３３ｂの内壁に沿って流れ、一部は入口４３ａから入って循環路４３ｂ、出口４３ｃを通って洗濯槽４３内に流れ落ちる。衣類に到達した洗濯液は衣類に付着する汚れに作用して洗濯液中に汚れを取り込むとともに遠心力によって衣類を通過して排出される。つまり、汚れを取り込むための洗濯液供給と汚れを取り込んだ洗濯液の排出とがほぼ同時に行われることになる。排出された洗濯液は自重で再び洗濯液室４２内に流れ込む。
【００２９】
これの繰り返しで、洗濯液が循環されることになる。この行程が所定時間継続されることによって衣類の汚れは洗濯液中に取り込まれ、汚れ除去が進んでいく。入口４３ａは、外槽下部３３ｂの内周の接線方向に開口されており、洗濯時に洗濯槽３４が回転する方向に延出されているので、洗濯液の旋回流が効率よく入口４３ａに流れ込むようになっている。
【００３０】
以上のように、本実施の形態においては、洗濯液供給手段を、洗濯兼脱水槽底部と、洗濯兼脱水槽底部が収納される外槽下部とで形成される洗濯液室と、洗濯液室に設けた入口と、入口と外槽上部の開口部に設けられた出口とを連結する循環路で形成される循環経路で構成し、洗濯兼脱水槽の回転により洗濯液室内の洗濯液が循環経路を流れるようにしたことにより、洗濯兼脱水槽を回転させることで洗濯液を外槽の底から上に循環することができ、ポンプを使用しないので信頼性や耐久性を向上させることができるとともに、安価に洗濯液を循環して衣類を洗浄することができる。
【００３１】
また、本実施の形態では、洗濯兼脱水槽３４の回転と攪拌翼３５の回転を交互に行うことによって、通過洗浄と攪拌洗浄の両方を行うことができ、洗浄力を向上することもできるようにしているが、洗濯兼脱水槽３４と撹拌翼３５の回転および停止は、多様な組合せが選択できるように、駆動手段３６、減速機構３８、制御装置４６を構成してある。
【００３２】
また、本実施の形態では、衣類の全部が水没しない低水位でも、外槽下部３３ｂから汲み上げるので洗濯液の循環が可能となり、節水洗浄や洗剤濃度の高い高濃度洗浄も行うことができる。
【００３３】
（実施の形態２）
図４は、本発明の実施の形態２における洗濯機の外槽側部の部分断面図である。図４において、循環路４３ｂは外槽３３の外周に沿って緩やかに上方へ傾斜した傾斜部４３ｄを有し、上方へ流れ方向が変わるように構成している。また、外槽下部３３ｂの内周に設けられた入口４３ａの一端は、外槽下部３３ｂの内周の接線方向に開口されており、他端は、洗濯時の洗濯槽３４が回転する方向に略水平に外槽３３の外周に沿って延出されて、循環路４３ｂの下端と接続されている。
【００３４】
以上のように、本実施の形態においては、入口４３ａから略水平方向に流入した洗濯液が出口４３ｃに向かって垂直に近い傾斜で上昇していく経路において、傾斜部４３ｄによって循環路４３ｂの管路抵抗が軽減されることになり、効率よく洗濯液を循環することができる。
【００３５】
なお、本実施の形態においては、緩やかに傾斜した傾斜部４３ｄを、図４に示すような、比較的大きい曲率を有する円弧状としたが、比較的緩やかな一定の傾斜角を有する直線で構成しても、同等の効果が得られる。
【００３６】
（実施の形態３）
図５は本発明の実施の形態３における洗濯機の断面図、図６は同洗濯機のブロック図、図７は同洗濯機の循環流量の特性図である。図５、図６において、流量検出手段５５は循環経路４３の一部に設けられている。流量検出手段５５は流量を電気信号に変換するもので、例えば、光センサーと羽根車で構成されている。流量検出手段５５と制御手段４７は電気的に接続されている。その他の構成は実施の形態１と同様である。
【００３７】
以上のように構成された洗濯機について、以下その動作、作用を説明する。まず、流量検出手段５５は循環経路４３内を流れる洗濯液の流量を検出し、信号を制御手段４７に送信する。制御手段４７は、その信号に基づいて洗濯兼脱水槽３４の回転数を制御する。図７に示すように、循環流量が最大になる洗濯兼脱水槽３４の回転数が存在することが実験で確認されており、制御手段４７は循環流量が最大を維持するように洗濯兼脱水槽３４の回転数を加減することとなる。
【００３８】
以上のように、本実施の形態においては循環経路４３に流量検出手段５５を設け、流量検出手段５５からの信号により洗濯兼脱水槽３４の回転数を制御することにより、洗濯液の循環流量が最大になる洗濯兼脱水槽の回転数で運転されることになり、効率よく洗濯液を循環することができるとともに、循環流量が多いので洗浄性能も向上させることができる。
【００３９】
なお、本実施の形態では、洗濯兼脱水槽の回転数を制御して循環流量の最大を維持するようにしているが、制御する回転条件は回転数に限定されるものではない。たとえば、流体特有の特性あるいは流量検出手段の特性にある程度の時間遅れがあることから、回転数を制御するかわりに、断続的に回転させ、断続の周期や断続の時間間隔を制御することによっても同等の効果が得られる。
【００４０】
（実施の形態４）
図８は本発明の実施の形態４における洗濯機の外槽の部分断面図、図９は同洗濯機の外槽の斜視図である。図８、図９において、外槽内壁３３ｃに水流を止める抵抗板５６を洗濯兼脱水槽底部３４ａより上に設けている。その他の構成は実施の形態１と同様である。
【００４１】
以上のように構成された洗濯機について、以下その動作、作用を説明する。洗濯兼脱水槽３４の回転で生じた洗濯液の回転水流は遠心力の影響で、外槽内壁３３ｃを上昇し、洗濯液室４２から流出しようとする。抵抗板５６は洗濯液の上昇を妨げるように作用し、洗濯液室４２からの洗濯液の流出を低減することになる。
【００４２】
以上のように、本実施の形態においては、外槽内壁３３ｃに水流を止める抵抗板５６を洗濯兼脱水槽底部３４ａより上に設けることにより、洗濯兼脱水槽３４の回転で生じた洗濯液の回転水流が遠心力の影響で、外槽内壁３３ｃを上昇し、洗濯液室４２から流出するのを低減することになり、効率よく洗濯液を循環することができる。
【００４３】
（実施の形態５）
図１０は本発明の実施の形態５における洗濯機の外槽の部分断面図、図１１は同洗濯機の外槽の斜視図である。図１０、図１１において、外槽内壁３３ｃに水流を止める抵抗板５６の端部５６ａに下方へ伸びる返し部５６ｂが設けられている。その他の構成は実施の形態４と同様である。
【００４４】
以上のように構成された洗濯機について、以下その動作、作用を説明する。洗濯兼脱水槽３４の回転で生じた洗濯液の回転水流は遠心力の影響で、外槽内壁３３ｃを上昇し、洗濯液室４２から流出しようとする。抵抗板５６は洗濯液の上昇を妨げようとするが一部乗り越えて流出するものが発生する。返し部５６ｂは水流が抵抗板５６を乗り越えるのを妨げるように作用し、洗濯液室４２からの洗濯液の流出を更に低減することになる。
【００４５】
以上のように、本実施の形態においては、抵抗板５６の端部５６ａに下方へ伸びる返し部５６ｂを設けることにより、洗濯液室４２から流出する洗濯液を更に低減することになり、より効率よく洗濯液を循環することができる。
【００４６】
（実施の形態６）
図１２は本発明の実施の形態６における洗濯機の外槽の部分断面図、図１３は同洗濯機の洗濯兼脱水槽の底面図である。図１２、図１３において、洗濯兼脱水槽底部３４ａに放射状に羽根５７を設けている。その他の構成は実施の形態１と同様である。
【００４７】
以上のように構成された洗濯機について、以下その動作、作用を説明する。羽根５７を設けたことで、洗濯兼脱水槽３４の回転が効率よく洗濯液に伝わることになる。
【００４８】
以上のように、本実施の形態においては、洗濯兼脱水槽底部３４ａに放射状に羽根５７を設けることにより、洗濯兼脱水槽３４は、効率よく回転水流を発生させることになり、洗濯液の循環量を増加することができる。
【００４９】
（実施の形態７）
図１４は本発明の実施の形態７における洗濯機の外槽の斜視図である。図１４において、外槽内壁３３ｃに洗濯液を上方へ押し上げる傾斜流路５８を設けている。傾斜流路５８の開始位置５８ａを外槽下部３３ｂに配置している。そして、傾斜流路５８の上端開口部５８ｂを、外槽３３の上部開口部３３ａを覆う外槽カバー４４の一部に設けた出口４３ｃに接続している。その他の構成は、実施の形態１と同様である。
【００５０】
以上のように構成された洗濯機について、以下その動作、作用を説明する。洗濯兼脱水槽３４の回転で発生した回転水流は、水位が低い場合でも、傾斜流路５８の開始位置５８ａを外槽下部３３ｂに配置しているので、傾斜流路５８を上昇し出口４３ｃから洗濯兼脱水槽３４内に流出することになる。
【００５１】
以上のように、本実施の形態においては、外槽内壁３３ｃに洗濯液を上方へ押し上げる傾斜流路５８を設け、傾斜流路５８の開始位置５８ａを外槽下部３３ｂに配置するとともに、傾斜流路５８の上端開口部５８ｂを外槽カバー４４の一部に設けた出口４３ｃに接続することにより、洗濯兼脱水槽３４の回転で発生した回転水流は、傾斜流路５８を上昇し出口４３ｃから洗濯兼脱水槽３４内に流出することになり、循環路４３ｂを無くすことができ、更に簡易で安価な構成で洗濯液を循環することができる。
【００５２】
（実施の形態８）
図１５は本発明の実施の形態８における洗濯機の外槽の平面図である。図１５において、循環経路４３の一部にフィルタ５９を設けている。本実施の形態では、フィルタ５９の設置位置は、掃除がし易いように出口４３ｃ近傍としている。これにより、洗濯液中のゴミや糸屑が回収されることになり、循環の妨げが無くなるとともに衣類の再汚染を低減することができる。
【００５３】
（実施の形態９）
図１６は本発明の実施の形態９における洗濯機の平面図である。洗濯兼脱水槽３４を脱水時に洗濯時と反対方向に回転させることにより、洗濯液の回転水流が入口４３ａに流入しにくい方向になり、衣類から分離した洗濯液が再び循環経路４３を流れ、洗濯兼脱水槽３４内に流入することが無くなり、脱水性能が低下するのを防止することができる。
【産業上の利用可能性】
【００５４】
以上のように、本発明にかかる洗濯機は、ポンプを使用しないので信頼性や耐久性を向上させることができるととともに、簡易かつ安価な構成で洗濯液を循環して衣類を洗浄することが可能となるので、衣類の汚れを除去する洗濯機として有用である。
【図面の簡単な説明】
【００５５】
【図１】本発明の実施の形態１における洗濯機の断面図
【図２】同洗濯機の平面図
【図３】同洗濯機のブロック図
【図４】本発明の実施の形態２における洗濯機の外槽側部の部分断面図
【図５】本発明の実施の形態３における洗濯機の断面図
【図６】同洗濯機のブロック図
【図７】同洗濯機の循環流量の特性図
【図８】本発明の実施の形態４における洗濯機の外槽の部分断面図
【図９】同洗濯機の外槽の斜視図
【図１０】本発明の実施の形態５における洗濯機の外槽の部分断面図
【図１１】同洗濯機の外槽の斜視図
【図１２】本発明の実施の形態６における洗濯機の外槽の部分断面図
【図１３】同洗濯機の洗濯兼脱水槽の底面図
【図１４】本発明の実施の形態７における洗濯機の外槽の斜視図
【図１５】本発明の実施の形態８における洗濯機の外槽の平面図
【図１６】本発明の実施の形態９における洗濯機の外槽の平面図
【図１７】従来の洗濯機の断面図
【符号の説明】
【００５６】
３３  外槽
３３ａ  開口部
３３ｂ  外槽下部
３３ｃ  外槽内壁
３４  洗濯兼脱水槽
３４ａ  洗濯兼脱水槽底部
３５  攪拌翼
３６  駆動手段
４２  洗濯液室
４３  循環経路
４３ａ  入口
４３ｂ  循環路
４３ｃ  出口
４５  洗濯液供給手段
４６  制御装置
４７  制御手段
５５  流量検出手段
５６  抵抗板
５６ａ  端部
５６ｂ  返し部
５７  羽根
５８  傾斜流路
５８ａ  開始位置
５８ｂ  上端開口部
５９  フィルタ
【図１】
2005110753.tif 000003
【図２】
2005110753.tif 000004
【図３】
2005110753.tif 000005
【図４】
2005110753.tif 000006
【図５】
2005110753.tif 000007
【図６】
2005110753.tif 000008
【図７】
2005110753.tif 000009
【図８】
2005110753.tif 000010
【図９】
2005110753.tif 000011
【図１０】
2005110753.tif 000012
【図１１】
2005110753.tif 000013
【図１２】
2005110753.tif 000014
【図１３】
2005110753.tif 000015
【図１４】
2005110753.tif 000016
【図１５】
2005110753.tif 000017
【図１６】
2005110753.tif 000018
【図１７】
2005110753.tif 000019